(57)【要約】  本発明は、電気整流式電動機（２）のための干渉抑制モジュール（５）に関しており、ここでこの干渉抑制モジュールは、・回路担体（５．１）と、・この回路担体（５．１）上に配置されている電子回路装置（５．２）と、・この電子回路装置（５．２）を形状接続的かつ材料接続的に包囲している封止部（５．３）と、・電子回路装置（５．２）を電気整流式電動機（２）の制御ユニット（４）と電気的に接触接続させるために設けられている少なくとも１つのインタフェース（５．４）とを有している。本発明はさらに、この種の干渉抑制モジュール（５）の製造方法ならびにこの種の干渉抑制モジュール（５）を備える車両（１）に関する。
2019500831.tif 000002
【特許請求の範囲】
【請求項１】
電気整流式電動機（２）のための干渉抑制モジュール（５）であって、
当該干渉抑制モジュール（５）は、
・回路担体（５．１）と、
・前記回路担体（５．１）上に配置されている電子回路装置（５．２）と、
・前記電子回路装置（５．２）を形状接続的かつ材料接続的に包囲している封止部（５．３）と、
・前記電子回路装置（５．２）を前記電気整流式電動機（２）の制御ユニット（４）と電気的に接触接続させるために設けられている少なくとも１つのインタフェース（５．４）とを有している、
干渉抑制モジュール（５）。
【請求項２】
前記インタフェース（５．４）は打ち抜き格子（Ｓ）として形成されている、請求項１記載の干渉抑制モジュール（５）。
【請求項３】
前記インタフェース（５．４）は、露出されているコンタクト面（Ｋ）を含んでおり、当該コンタクト面は、前記回路担体（５．１）内に集積されている電気的な線路要素（Ｌ）を介して、前記電子回路装置（５．２）と電気的に接続されている、請求項１または２記載の干渉抑制モジュール（５）。
【請求項４】
前記インタフェース（５．４）はプラグモジュール（ＳＭ）として形成されており、当該プラグモジュールは、少なくとも１つの電気的なコンタクトピン（ＫＳ）と、当該少なくとも１つの電気的なコンタクトピン（ＫＳ）を形状接続的かつ材料接続的に包囲しているさらなる封止部（ＫＰ）とを有している、請求項１から３までのいずれか１項記載の干渉抑制モジュール（５）。
【請求項５】
前記封止部（５．３）と前記さらなる封止部（ＫＰ）とは相互に一体成形されている、請求項４記載の干渉抑制モジュール（５）。
【請求項６】
前記電子回路装置（５．２）は、前記回路担体（５．１）と材料接続によって接続されている、請求項１から５までのいずれか１項記載の干渉抑制モジュール（５）。
【請求項７】
前記電子回路装置（５．２）は少なくとも１つのコンデンサを有している、請求項１から６までのいずれか１項記載の干渉抑制モジュール（５）。
【請求項８】
前記少なくとも１つのコンデンサは、電解コンデンサとして形成されている、請求項７記載の干渉抑制モジュール（５）。
【請求項９】
電気整流式電動機（２）のための干渉抑制モジュール（５）の製造方法であって、
・回路担体（５．１）の少なくとも１つの平らな面の上に、電子回路装置（５．２）を配置および固定し、
・前記電子回路装置（５．２）を前記電動機（２）の制御ユニット（４）と電気的に接触接続させる少なくとも１つのインタフェース（５．４）を前記回路担体（５．１）内に集積し、
・少なくとも前記電子回路装置（５．２）に、硬化可能な封止材料を付与し、当該封止材料は、硬化時に、前記電子回路装置（５．２）と形状接続および材料接続によって接続し、当該電子回路装置を一体的に封止する、
電気整流式電動機（２）のための干渉抑制モジュール（５）の製造方法。
【請求項１０】
車両（１）であって、
・電気整流式電動機（２）と、
・前記電動機（２）を駆動制御する制御ユニット（４）と、
・前記制御ユニット（４）と少なくとも電気的に接続されている、請求項１から８までのいずれか１項記載の干渉抑制モジュール（５）とを含んでいる、
車両（１）。
【発明の詳細な説明】
【技術分野】
【０００１】
本発明は、電気整流式電動機のための干渉抑制モジュールに関する。本発明はさらに、この種の干渉抑制モジュールの製造方法ならびにこの種の干渉抑制モジュールを備える車両に関する。
【０００２】
電気整流式電動機はよく知られており、ブラシ整流式電動機と比べて、摩耗する部品が少ないという特徴を有している。たとえば、この種の電動機は車両トランスミッションにおいて複数使用され、それらが相互に組み合わされて、ギヤードモータを形成している。
【０００３】
この種の電動機の駆動制御は、たとえば、パルス幅変調式に動作するパワーエレクトロニクスシステムを用いて行われ、このパワーエレクトロニクスシステムは、制御機器、たとえばトランスミッション制御機器内に集積されている。このパワーエレクトロニクスシステムの回路はここで、入力電圧、たとえば車両搭載電源網の１２Ｖの供給電圧を３つの相電圧に分配する３つの分圧器を含んでおり、これらの相電圧はそれぞれたとえば１２０°相互に時間的にずらされている。すなわち、この電動機は三相交流によって動かされる。
【０００４】
相電圧は、パルス幅変調に基づいて、不所望な電圧ピークを有し得るので、相電圧の平滑化のために干渉抑制が必要である。たとえば干渉抑制構成部品として、セラミックコンデンサまたは電解コンデンサが使用されるが、これらの熱安定性は低い。
【０００５】
したがって本発明の課題は、従来技術に比べて改善された、電気整流式電動機のための干渉抑制モジュールを提供することである。さらに本発明の課題は、この種の干渉抑制モジュールの適切な製造方法ならびに従来技術に比べて改善された、この種の干渉抑制モジュールを備える車両を提供することである。
【０００６】
本発明の有利な構成は、従属請求項に記載されている。
【０００７】
干渉抑制モジュールに関しては、上述の課題は、本発明に相応に、請求項１に記載されている特徴によって解決される。方法に関しては、上述の課題は、請求項９に記載されている特徴によって解決される。車両に関しては、上述の課題は、本発明と相応に、請求項１０に記載されている特徴によって解決される。
【０００８】
電気整流式電動機のための干渉抑制モジュールは、回路担体と、この回路担体上に配置されている電子回路装置と、この電子回路装置を形状接続（形状接続とは、嵌め合いまたは噛み合いなど部材相互の形状的関係に基づく結合を意味する）的かつ材料接続（材料接続とは、分子間力等の化学結合による束縛を意味する）的に包囲している封止部と、電子回路装置を電気整流式電動機の制御ユニットと電気的に接触接続させるために設けられている少なくとも１つのインタフェースとを含んでいる。
【０００９】
干渉抑制モジュールが電動機の制御ユニットとは別個に設けられていることによって、制御ユニットのエレクトロニクススペース外で、回路担体に、特に干渉抑制構成部品を含んでいる電子回路装置を実装することが可能になる。干渉抑制構成部品、たとえば電解コンデンサは通常、極めて多くの場所を必要とし、さらに低い熱安定性しか有していないので、本発明に相応に、別個に設けられた干渉抑制モジュールによって、構造空間が最適化された、干渉抑制構成部品の位置付けならびに従来技術と比べて長い、電子回路装置の寿命が得られる。
【００１０】
さらに、この干渉抑制モジュールは従来技術と比べて格段に平坦に、かつこの際にモジュール様式にスケーラブルに構成可能である。干渉抑制モジュールの修理時の交換も容易に行うことができる。さらに、干渉抑制モジュールを制御ユニットに対して別個に製造することが可能であり、かつ干渉抑制構成部品を保護するための、制御ユニットでの別個のハウジングは不要である。なぜなら、電子回路装置は、封止部によって外部の影響、たとえばトランスミッションオイルから保護されているからである。
【００１１】
たとえば干渉抑制モジュールは、車両のギヤードモータを駆動制御するトランスミッション制御機器と結合可能である。この場合に制御ユニットはトランスミッション制御機器であり、電動機は、車両のトランスミッションとともに、ギヤードモータを形成している。
【００１２】
本発明のある構成では、干渉抑制モジュールの電気的な接触接続のためのインタフェースは、回路担体内に集積されている打ち抜き格子として形成されている。
【００１３】
択一的な構成では、インタフェースは、露出されているコンタクト面を含んでおり、このコンタクト面は、回路担体内に集積されている電気的な線路要素を介して、電子回路装置と電気的に接続されている。干渉抑制モジュールの、制御ユニットとは反対側の面は有利には、開放された電気的なコンタクト箇所を有しておらず、したがって短絡を回避することができる。
【００１４】
さらに、インタフェースは、本発明のある構成では、プラグモジュールとして形成されていてよく、このプラグモジュールは、少なくとも１つの電気的なコンタクトピンと、このコンタクトピンを形状接続的かつ材料接続的に包囲しているさらなる封止部とを有している。干渉抑制モジュールはこの場合、容易に、制御ユニットと接続可能である。
【００１５】
有利には、封止部とさらなる封止部とは相互に一体成形されている。これによって、プラグモジュールを備える干渉抑制モジュールの製造が特に容易に実行可能である。なぜなら、別個のケーシングの形成が省かれるからである。
【００１６】
電子回路装置と回路担体との接続は、有利には材料接続を用いて行われる。たとえば電子回路装置は回路担体と、熱伝導性接着剤等を用いて接着されている。択一的に電子回路装置が、回路担体上にはんだ付けまたは溶接されてもよい。さらに、回路担体と電子回路装置との電気的な接触接続のためにボンディングワイヤを設けることが可能である。さらに、たとえば螺合点、ソケットを介した、または保持幾何学的形状、たとえば保持クランプを用いた機械的な固定が可能である。
【００１７】
干渉抑制構成部品として電子回路装置は少なくとも１つのコンデンサ、たとえばセラミックコンデンサまたは電解コンデンサを有している。
【００１８】
さらに、電気整流式電動機のための干渉抑制モジュールの製造方法が提供される。ここでは、回路担体の、少なくとも１つの平らな面の上に、電子回路装置が配置および固定される。ここで、電子回路装置を電気整流式電動機の制御機器と電気的に接触接続させる少なくとも１つのインタフェースが回路担体内に集積される。さらにここで、少なくとも電子回路装置に、硬化可能な封止材料が付与され、この封止材料は、硬化時に、電子回路装置と形状接続および材料接続によって接続し、電子回路装置を一体的に封止する。
【００１９】
この方法は、干渉抑制モジュールの容易かつ低コストの製造を可能にする。この干渉抑制モジュールは容易に、電動機を駆動制御する制御ユニットと結合可能である。
【００２０】
さらに、電気整流式電動機と、この電動機を駆動制御する制御ユニットと、本発明の干渉抑制モジュールとを含む車両が提示される。ここでこの車両は、制御ユニットと、少なくとも電気的に接続されている。
【００２１】
干渉抑制モジュールを用いて電子回路装置の寿命が長くなることによって、車両の電動機、ひいてはたとえばギヤードモータの機能を長期間保つことができる。したがってこの車両は、寿命および機能に関して、従来技術に比べて改善されている。
【００２２】
本発明の実施例を以下で図面に基づいて詳細に説明する。
【図面の簡単な説明】
【００２３】
【図１】電動機と、この電動機を駆動制御する制御ユニットと、本発明の干渉抑制モジュールとを含む車両の概略図
【図２】一般的な構成における干渉抑制モジュールの概略図
【図３】種々の実施例における干渉抑制モジュールの概略的な断面図
【図４】種々の実施例における干渉抑制モジュールの概略的な断面図
【図５】種々の実施例における干渉抑制モジュールの概略的な断面図
【図６】種々の実施例における干渉抑制モジュールの概略的な断面図
【００２４】
相互に対応する部分には、全ての図面において、同じ参照番号が付けられている。
【００２５】
図１は、概略的に、車両１を著しく簡略化して示している。
【００２６】
車両１は、電気整流式電動機２を含んでいる。この電気整流式電動機は、この実施例では、車両１のトランスミッション３とともに、ギヤードモータＧＭを形成し、制御ユニット４によって駆動制御される。
【００２７】
たとえば、トランスミッション３は、自動車両変速機であり、その変速段は、電動機２によって調節される。
【００２８】
電動機２は電気式に整流され、したがってブラシレスモータとして形成されている。電動機２の駆動制御は、このためにたとえばパルス幅変調式に動作するパワーエレクトロニクスシステム（ここでは図示されていない）を有する制御ユニット４を介して行われる。
【００２９】
冒頭に記載したように、パワーエレクトロニクスシステムは、３つの分圧器を有している。これらの分圧器は、入力電圧、たとえば車両１の搭載電源網の１２Ｖの供給電圧を３つの相電圧に分配する。これらの相電圧はそれぞれたとえば１２０°相互に時間的にずらされている。すなわち、電動機２は三相交流によって動かされる。
【００３０】
相電圧は、パルス幅変調に基づいて、不所望な電圧ピークを有し得るので、相電圧の平滑化のために必要な本発明の干渉抑制モジュール５が設けられている。
【００３１】
干渉抑制モジュール５は、制御ユニット４と電気的に、かつ場合によっては付加的に機械的に接続されており、別個のモジュールとして製造および取り付けされている。
【００３２】
図２は、一般的な構成における干渉抑制モジュール５を著しく簡略化して示している。
【００３３】
干渉抑制モジュール５は、回路担体５．１、たとえばいわゆるＨＤＩプリント回路基板を含んでおり、この上に電子回路装置５．２が配置されており、材料接続的に、たとえば接着、溶接またははんだ付けを用いて固定されている。
【００３４】
電子回路装置５．２は、干渉抑制構成部品として、所定数のコンデンサ、特に電解コンデンサおよび／またはセラミックコンデンサを含んでいる。干渉抑制構成部品と回路担体５．１との電気的な接触接続は、たとえば、ワイヤボンディング、はんだ付け、溶接および／または熱伝導性接着剤を用いて行われる。
【００３５】
封止部５．３は、回路担体５．１上の全ての部品を包囲する。すなわち、特に電子回路装置５．２を完全にかつ一体成形に包囲する。したがって、これらは、外部の影響、たとえばやすりくず、ギヤオイルから保護されている。
【００３６】
封止部５．３の一体成形に基づいて、電子回路装置５．２における間隙も封鎖されている。したがって、開放されたインタフェースは回避されている。封止部５．３によって電子回路保護とハウジングコンセプトとの最適な組み合わせが、従来技術に比べて、必要な構造空間が少なく、実現されている。さらに、封止部５．３に基づいて、別個のハウジングは不要である。
【００３７】
有利には、封止部５．３は、硬化可能な材料、たとえばデュロプラストから形成されており、したがって封止部と電子回路装置５．２との間の形状接続および材料接続が特に容易に形成可能である。硬化可能な材料は、ここで圧縮成形、トランスファー成形または択一的に射出成形によって付与されてよい。
【００３８】
さらに、干渉抑制モジュール５は、少なくとも１つのインタフェース５．４を含んでおり、このインタフェースは、制御ユニット４のパワーエレクトロニクスシステムと電子回路装置５．２との電気的な接触接続のために設けられている。
【００３９】
インタフェース５．４は、種々の様式で形成されていてよく、これに関しては、後続の図３から６において詳細に言及する。
【００４０】
ここで図３から６は、干渉抑制モジュール５の様々な例示的な構成を示しており、ここで干渉抑制モジュール５は、それぞれ、断面図で、特に長手方向断面図で示されている。
【００４１】
図３では、インタフェース５．４が打ち抜き格子Ｓとして形成されている。ここでは相互に平行に延在する２つの電気的な導体が、回路担体５．１を貫通して案内されており、回路担体５．１の実装されている平らな面から上方に突出している。打ち抜き格子Ｓは、たとえば回路担体５．１に延在している打ち抜き格子部分を介して電子回路装置５．２と導電性に接続されている。
【００４２】
回路担体５．１の実装されている平らな面はここで、たとえば、制御ユニット４の方を向いている面である。回路担体５．１の実装されていない平らな面は、制御ユニット４とは反対側に位置する面であり、ここでは、回路担体５．１の実装されていない平らな面から突出している導体の一部が、電気的に絶縁されている材料によって密閉されている。択一的に、回路担体５．１が、制御ユニット４に対して相対的に、異なって配向されていてもよい。
【００４３】
これに対して択一的に、類似して、インタフェース５．４として、ケーブルまたは圧入コンタクトが配置または埋設されてよく、ここでこれらは、電子回路装置５．２とそれぞれ、たとえば回路担体５．１内に集積されている導体路を介して、導電性に接続されている。
【００４４】
図４では、インタフェース５．４は、露出されているコンタクト面Ｋを、回路担体５．１の、実装されている平らな面または択一的に対向する平らな面上に含んでいる。これは、回路担体５．１内に集積されている線路要素Ｌと接続されている。線路要素Ｌは、ここでは同様に、導体路であってよく、電気的に電子回路装置５．２と接続されていてよい。
【００４５】
電気的なコンタクト面Ｋはここでは、表面実装された構成要素の形態で形成されており、直接的に回路担体５．１上にはんだ付けされている、または回路担体５．１の開放された導体面として、たとえば電気めっきされた小さいプレートまたは銅製の面として形成されている。コンタクト面Ｋは有利には、導電性材料、たとえば金属または導電性セラミックから形成されている。
【００４６】
有利にはここで、回路担体５．１の実装されていない平らな面は、開放された電気的なコンタクト箇所を有していない。
【００４７】
図５および６では、インタフェース５．４はそれぞれ、集積されたプラグモジュールＳＭとして形成されており、これは、相互に平行に延在している２つのコンタクトピンＫＳを有しており、これらのコンタクトピンはそれぞれ、回路担体５．１の実装されている平らな面の上方に、または構造空間に関連して下方にも、直角に曲げられている。
【００４８】
図５では、コンタクトピンＫＳは、さらなる封止部ＫＰによって包囲されており、このさらなる封止部は電子回路装置５．２の封止部５．３に対して別個に形成されている。
【００４９】
図６では、封止部５．３とさらなる封止部ＫＰとが相互に一体成形されており、したがってこれらは、干渉抑制モジュール５の製造時に、共通のステップで被着可能である。
【００５０】
インタフェース５．４としてのプラグモジュールＳＭを用いて、干渉抑制モジュール５は、特に容易に制御ユニット４と接続される。制御ユニット４は、これに対して、プラグモジュールＳＭと一致するプラグソケットを有している。
【００５１】
電気的なコンタクトピンＫＳは、ここでは、２つの側から配置可能である。これはたとえば貫通、その後の両面のはんだ付け、溶接または接着によって行われる。択一的に、電気的なコンタクトピンＫＳが一体的にはんだ付け、溶接または接着されてもよい。
【符号の説明】
【００５２】
１  車両、  ２  電動機、  ３  トランスミッション、  ４  制御ユニット、  ５  干渉抑制モジュール、  ５．１  回路担体、  ５．２  電子回路装置、  ５．３  封止部、  ５．４  インタフェース、  ＧＭ  ギヤードモータ、  Ｋ  コンタクト面、  ＫＳ  コンタクトピン、  ＫＰ  さらなる封止部、  Ｌ  線路要素、  Ｓ  打ち抜き格子、  ＳＭ  プラグモジュール
【図１】
2019500831.tif 000003
【図２】
2019500831.tif 000004
【図３】
2019500831.tif 000005
【図４】
2019500831.tif 000006
【図５】
2019500831.tif 000007
【図６】
2019500831.tif 000008
【国際調査報告】
2019500831.tif 000009
2019500831.tif 000010
2019500831.tif 000011
2019500831.tif 000012